(57)【要約】【課題】内容器内の内容物の残量が少なくなっても、内容物を吐出しやすくする。【解決手段】収容される内容物の減少に伴い減容変形する内容器、および内容器が内装された外容器を備えるとともに、口部、胴部１６、および底部１４が、ボトル軸Ｏ方向に沿って上方から下方に向けてこの順に連設され、外容器のうちの少なくとも胴部が、弾性変形可能に形成されたスクイズボトル１であって、少なくとも胴部は、ボトル軸上で互いに交差する長軸および短軸を有し、かつボトル軸方向から見た平面視形状が、一対の短辺部分２１および一対の長辺部分２２を有する扁平形状とされ、底部に、外周縁部に位置する環状の接地部３１と、上方に向けて窪んだ陥没凹部３４と、陥没凹部の内面に形成され、外容器の一部が、内容器の一部を挟み込んで保持した保持リブ３３と、が形成され、陥没凹部は、底部における、長軸が延びる長軸方向の全長にわたって形成されている。【選択図】図１
2020033087.tif 000002
【特許請求の範囲】
【請求項１】
収容される内容物の減少に伴い減容変形する内容器、および前記内容器が内装された外容器を備えるとともに、口部、胴部、および底部が、ボトル軸方向に沿って上方から下方に向けてこの順に連設され、
前記外容器のうちの少なくとも前記胴部が、弾性変形可能に形成されたスクイズボトルであって、
少なくとも前記胴部は、ボトル軸上で互いに交差する長軸および短軸を有し、かつボトル軸方向から見た平面視形状が、一対の短辺部分および一対の長辺部分を有する扁平形状とされ、
前記底部に、
外周縁部に位置する環状の接地部と、
上方に向けて窪んだ陥没凹部と、
前記陥没凹部の内面に形成され、前記外容器の一部が、前記内容器の一部を挟み込んで保持した保持リブと、が形成され、
前記陥没凹部は、前記底部における、前記長軸が延びる長軸方向の全長にわたって形成されている、スクイズボトル。
【請求項２】
前記短軸が延びる短軸方向、およびボトル軸方向の双方向に沿う断面視において、前記陥没凹部の拡開角度が、１００°より大きく１４０°以下となっている、請求項１に記載のスクイズボトル。
【請求項３】
前記短軸が延びる短軸方向、およびボトル軸方向の双方向に沿う断面視において、前記底部における前記陥没凹部の開口幅が、１２ｍｍ以上１８ｍｍ以下となっている、請求項１または２に記載のスクイズボトル。
【請求項４】
前記胴部の下端部に、下方に向かうに従い漸次、径方向の内側に向けて延びる傾斜部が、全周にわたって形成されている、請求項１から３のいずれか１項に記載のスクイズボトル。
【発明の詳細な説明】
【技術分野】
【０００１】
本発明は、スクイズボトルに関する。
【背景技術】
【０００２】
従来から、例えば下記特許文献１に示されるような、収容される内容物の減少に伴い減容変形する内容器、および内容器が内装されるとともに、弾性変形可能に形成された胴部を有する外容器を備え、外容器の胴部を押込むことで、内容器内の内容物が口部を通して吐出されるスクイズボトルが知られている。
【先行技術文献】
【特許文献】
【０００３】
【特許文献１】特開２０１８−８７０３６号公報
【発明の概要】
【発明が解決しようとする課題】
【０００４】
しかしながら、前記従来のスクイズボトルでは、内容器内の内容物の残量が少なくなったときに、内容物を吐出するのが困難になるという問題があった。
【０００５】
本発明は、前述した事情に鑑みてなされたものであって、内容器内の内容物の残量が少なくなっても、内容物を吐出しやすくすることができるスクイズボトルを提供することを目的とする。
【課題を解決するための手段】
【０００６】
本発明は、上記課題を解決するために以下のような手段を採用した。すなわち、本発明のスクイズボトルは、収容される内容物の減少に伴い減容変形する内容器、および前記内容器が内装された外容器を備えるとともに、口部、胴部、および底部が、ボトル軸方向に沿って上方から下方に向けてこの順に連設され、前記外容器のうちの少なくとも前記胴部が、弾性変形可能に形成されたスクイズボトルであって、少なくとも前記胴部は、ボトル軸上で互いに交差する長軸および短軸を有し、かつボトル軸方向から見た平面視形状が、一対の短辺部分および一対の長辺部分を有する扁平形状とされ、前記底部に、外周縁部に位置する環状の接地部と、上方に向けて窪んだ陥没凹部と、前記陥没凹部の内面に形成され、前記外容器の一部が、前記内容器の一部を挟み込んで保持した保持リブと、が形成され、前記陥没凹部は、前記底部における、前記長軸が延びる長軸方向の全長にわたって形成されている。
【０００７】
本発明によれば、ボトル軸方向から見た胴部の平面視形状が、一対の短辺部分および一対の長辺部分を有する扁平形状とされているので、胴部における一対の長辺部分を、互いが対向する短軸方向に押し込んだときに、一対の長辺部分を広範囲にわたって大きく変形させやすくなり、この際の押し込み力を、内容器内に効果的に伝達することができる。
そして、内容器内の内容物の残量が少なくなったときには、陥没凹部が、底部における長軸方向の全長にわたって形成されていることから、陥没凹部を折れ線部として、少なくとも胴部の下部から底部にわたる部分を、短軸の延びる短軸方向に折り畳むことが可能になり、内容器内の残り少ない内容物を吐出しやすくすることができる。
【０００８】
ここで、前記短軸が延びる短軸方向、およびボトル軸方向の双方向に沿う断面視において、前記陥没凹部の拡開角度が、１００°より大きく１４０°以下となってもよい。
【０００９】
この場合、前記断面視において、陥没凹部の拡開角度が、１００°より大きく１４０°以下となっているので、陥没凹部を折れ線部として、底部などを前述のように折り畳むことが可能なスクイズボトルを容易に形成することができる。
すなわち、前記拡開角度が１００°以下になると、スクイズボトルを製造することが困難になり、また、前記拡開角度が１４０°より大きくなると、陥没凹部を折れ線部として、底部などを前述のように折り畳むことが困難になる。
【００１０】
また、前記短軸が延びる短軸方向、およびボトル軸方向の双方向に沿う断面視において、前記底部における前記陥没凹部の開口幅が、１２ｍｍ以上１８ｍｍ以下となってもよい。
【００１１】
この場合、前記縦断面視において、底部における陥没凹部の開口幅が、１２ｍｍ以上１８ｍｍ以下となっているので、陥没凹部を折れ線部として、底部などを前述のように折り畳むことが可能なスクイズボトルを、接地安定性を確保しつつ得ることができる。
すなわち、前記開口幅が１２ｍｍ未満になると、陥没凹部を折れ線部として、底部などを前述のように折り畳むことが困難になり、前記開口幅が１８ｍｍより広くなると、接地安定性が阻害されるおそれがある。
なお、前記断面視において、底部における陥没凹部の開口幅が、胴部の短軸方向の大きさの０．３５倍以上０．５４倍以下となっているのが好ましい。
【００１２】
また、前記胴部の下端部に、下方に向かうに従い漸次、径方向の内側に向けて延びる傾斜部が、全周にわたって形成されてもよい。
【００１３】
この場合、胴部の下端部に、下方に向かうに従い漸次、径方向の内側に向けて延びる傾斜部が、全周にわたって形成されているので、陥没凹部を折れ線部として用いる前述の折り畳みを容易に行うことができる。
【発明の効果】
【００１４】
この発明によれば、内容器内の内容物の残量が少なくなっても、内容物を吐出しやすくすることができる。
【図面の簡単な説明】
【００１５】
【図１】本発明に係る一実施形態として示したスクイズボトルに吐出キャップが装着された状態の、長軸方向から見た一部断面を含む側面図である。
【図２】本発明に係る一実施形態として示したスクイズボトルに吐出キャップが装着された状態の、短軸方向から見た一部断面を含む側面図である。
【図３】図１および図２に示すスクイズボトルの上面図である。
【図４】図１および図２に示すスクイズボトルの下面図である。
【発明を実施するための形態】
【００１６】
以下、図面を参照し、本発明の一実施形態について説明する。
スクイズボトル１は、図１および図２に示されるように、外容器１１の内面に内容器１２が剥離可能に積層された積層剥離型容器（デラミボトル）とされている。スクイズボトル１は、例えば、押出成形などによって二重（内外）に組み合わされた積層パリソンを形成し、この積層パリソンをブロー成形することで有底筒状に形成されている（押出ブロー成形）。
【００１７】
内容器１２および外容器１１の材質は合成樹脂材料とされ、内容器１２が外容器１１に対して独立して減容可能な組み合わせであれば互いに同材質でも構わないし異材質でも構わない。合成樹脂材料の一例としては、例えば、ＰＥＴ（ポリエチレンテレフタレート）、ＰＰ（ポリプロピレン）、ＰＥ（ポリエチレン）、ナイロン（ポリアミド）、およびＥＶＯＨ（エチレン−ビニルアルコール共重合体）などが挙げられる。これらの合成樹脂材料の中から、互いが剥離可能となる組み合わせになるように選択された材質によって、内容器１２および外容器１１が形成される。
【００１８】
内容器１２は、内部に内容物が収容されるとともに内容物の減少に伴い減容変形する。内容器１２は、外容器１１に内装される。内容物としては、例えばマヨネーズ、ケチャップ、中濃ソース、味噌、およびドレッシングなどが挙げられ、２３℃での粘度が１０００ｍＰａ・ｓ〜１０００００ｍＰａ・ｓ程度の比較的粘度の高いものが挙げられる。粘度は、Ｂ型粘度計（回転粘度計）を用い、ＪＩＳ  Ｋ７１１７−１に準拠する方法で求めることができる。
なお、内容器１２の内部に収容される内容物は、低粘度のものであってもよい。
【００１９】
スクイズボトル１は、口部１３、肩部１５、胴部１６、および底部１４を備える。口部１３、肩部１５、胴部１６および底部１４は、共通軸と同軸にこの順に配設されている。
以下、この共通軸をボトル軸Ｏといい、ボトル軸Ｏに沿うスクイズボトル１の口部１３側を上側、スクイズボトル１の底部１４側を下側という。また、ボトル軸Ｏ方向から見て、ボトル軸Ｏに交差する方向を径方向といい、ボトル軸Ｏ回りに周回する方向を周方向という。
【００２０】
スクイズボトル１の口部１３は、内容器１２の口部１２ａと外容器１１の口部１１ａとが積層されることで構成され、スクイズボトル１の肩部１５は、内容器１２の肩部１２ｂと外容器１１の肩部１１ｂとが積層されることで構成され、スクイズボトル１の胴部１６は、内容器１２の胴部１２ｃと外容器１１の胴部１１ｃとが積層されることで構成される。
以下の説明において、特に断りのない限り、内容器１２および外容器１１の双方が同様の形態となっているものとする。
【００２１】
スクイズボトル１の口部１３は、肩部１５の上端部から上方に向けて延びる円筒状に形成されている。
内容器１２の口部１２ａの上端部は、全周にわたって、径方向の外側に向けて折り返され、この折り返し部分が外容器１１の口部１１ａの上端開口縁に配置されている。
【００２２】
外容器１１の口部１１ａの外周面に、後述するキャップ５０が螺着される雄ねじ部が形成されている。外容器１１の口部１１ａに、外容器１１と内容器１２との間に外気を導入する吸気孔１７と、径方向の外側に向けて膨出し、全周にわたって連続して延び、後述するキャップ５０の周壁部５２ｃが外嵌される被シール突部１８と、径方向の内側に向けて窪み、全周にわたって連続して延びる環状溝１９と、が上方から下方に向けてこの順に形成されている。環状溝１９の下端部は、肩部１５の上端部に接続されている。
なお、吸気孔１７の形成位置は、外容器１１の口部１１ａに限定されるものではなく、例えば外容器１１のうち、口部１１ａ以外の胴部１１ｃ若しくは底部１１ｄなどであってもよい。
【００２３】
胴部１６は、下端部を除く全域にわたって、ボトル軸Ｏ方向に真直ぐ延びている。外容器１１のうちの少なくとも胴部１１ｃが、スクイズ変形（弾性変形）可能とされ、外容器１１のスクイズ変形に伴って内容器１２がしぼみ変形する。図示の例では、外容器１１の肩部１１ｂもスクイズ変形可能となっている。
底部１４に、外周縁部に位置する環状の接地部３１と、接地部３１の内周縁部に連設され、上方に向けて窪んだ底上げ部３２と、底上げ部３２の内面に形成され、外容器１１の一部が、内容器１２の一部を挟み込んで保持した保持リブ３３と、が形成されている。
胴部１６と、肩部１５および底部１４と、がボトル軸Ｏ方向に段差なく連なっている。
【００２４】
肩部１５、胴部１６、および底部１４それぞれのボトル軸Ｏ方向から見た平面視形状は、図３および図４に示されるように、一対の短辺部分２１および一対の長辺部分２２を有する扁平形状を呈する。すなわち、肩部１５、胴部１６、および底部１４は、ボトル軸Ｏ上で互いに交差する短軸Ｏ１および長軸Ｏ２を有する横断面扁平形状を呈する。
以下、ボトル軸Ｏ方向から見て、一対の長辺部分２２が互いに対向する方向を短軸Ｏ１方向といい、一対の短辺部分２１が互いに対向する方向を長軸Ｏ２方向という。
【００２５】
図２に示されるように、肩部１５の長軸Ｏ２方向の大きさは、上側から下側に向かうに従い漸次、大きくなっている。図１に示されるように、肩部１５の短軸Ｏ１方向の大きさは、ボトル軸Ｏ方向の全長にわたって同等になっている。
胴部１６の長軸Ｏ２方向の大きさは、胴部１６の短軸Ｏ１方向の大きさの１．２倍以上２．３倍以下、好ましくは１．４倍以上２．０倍以下となっている。図示の例では、胴部１６の長軸Ｏ２方向の大きさは、胴部１６の短軸Ｏ１方向の大きさの約１．８倍となっている。
【００２６】
そして、本実施形態では、図３および図４に示されるように、胴部１６における一対の短辺部分２１それぞれの少なくとも一部が、長軸Ｏ２方向の外側に向けて尖る角部２３を備える。
【００２７】
角部２３は、胴部１６の短辺部分２１におけるボトル軸Ｏ方向の全長にわたって配設されている。角部２３は、短辺部分２１における短軸Ｏ１方向の中央部に配置されている。外容器１１の内面と内容器１２の外面とは、角部２３が位置する周方向に沿う各部分におけるボトル軸Ｏ方向の全長にわたって接着されている。ここで、吸気孔１７は、外容器１１の口部１１ａにおける短軸Ｏ１方向の両端部に形成されている。これにより、吸気孔１７からの外気は、外容器１１の内面と内容器１２の外面との間のうち、一対の長辺部分２２が位置する各部分に導入される。
胴部１６の短辺部分２１は、角部２３と、角部２３における短軸Ｏ１方向の両端から長辺部分２２側に向けて各別に延びる一対の第１接続部２４と、により構成されている。
【００２８】
ここで、胴部１６の短辺部分２１は、ボトル軸Ｏ方向から見て、円弧および直線のうちの少なくとも一方が連ねられて構成されている。図示の例では、胴部１６の短辺部分２１は、ボトル軸Ｏ方向から見て、２つの円弧が連ねられて構成されている。すなわち、角部２３、および一対の第１接続部２４は、ボトル軸Ｏ方向から見て、径方向の外側に向けて突の円弧状を呈する。ボトル軸Ｏ方向から見て、角部２３の曲率半径（例えば約６ｍｍ）は、第１接続部２４の曲率半径（例えば約２５ｍｍ）より小さくなっている。例えば、第１接続部２４の曲率半径は、角部２３の曲率半径の２倍以上となっている。
なお、胴部１６の短辺部分２１は、ボトル軸Ｏ方向から見て、３つ以上の円弧が連ねられて構成されてもよいし、複数の直線が連ねられて構成されてもよいし、円弧および直線が連ねられて構成されてもよい。
【００２９】
ボトル軸Ｏ方向から見た平面視で、角部２３と一対の第１接続部２４との各接続部分における接線Ｌ１同士がなす角度θ１が９０°以上１４０°以下となっている。図示の例では、前記角度θ１は約１３０°となっている。
胴部１６の短辺部分２１は、ボトル軸Ｏ方向から見た平面視で、長軸Ｏ２に対して対称形状を呈する。
【００３０】
胴部１６における一対の長辺部分２２は、長軸Ｏ２方向およびボトル軸Ｏ方向の双方向に沿って延びる平面部２５と、平面部２５における長軸Ｏ２方向の両端から短辺部分２１側に向けて各別に延びる一対の第２接続部２６と、を備える。
【００３１】
平面部２５の長軸Ｏ２方向の中央部は、長辺部分２２における長軸Ｏ２方向の中央部に位置している。平面部２５の長軸Ｏ２方向の長さは、第２接続部２６の長軸Ｏ２方向の長さより長い。
第２接続部２６は、ボトル軸Ｏ方向から見て、径方向の外側に向けて突の円弧状を呈する。ボトル軸Ｏ方向から見て、第２接続部２６の曲率半径（例えば約１５ｍｍ）は、角部２３の曲率半径より大きく、かつ第１接続部２４の曲率半径より小さくなっている。例えば、ボトル軸Ｏ方向から見て、第２接続部２６の曲率半径は、角部２３の曲率半径の１．５倍以上３．０倍以下となっている。
胴部１６の長辺部分２２は、ボトル軸Ｏ方向から見た平面視で、短軸Ｏ１に対して対称形状を呈する。
なお、胴部１６の長辺部分２２は、ボトル軸Ｏ方向から見て、複数の円弧が連ねられて構成されてもよいし、複数の直線が連ねられて構成されてもよいし、円弧および直線が連ねられて構成されてもよい。
【００３２】
そして本実施形態では、底部１４の底上げ部３２が、陥没凹部３４および導入凹部３５を備える。
図１および図４に示されるように、陥没凹部３４は、底部１４における短軸Ｏ１方向の中央部に配設されている。導入凹部３５は、陥没凹部３４の開口周縁部と接地部３１の内周縁部とを短軸Ｏ１方向に接続している。
【００３３】
陥没凹部３４は、底部１４における長軸Ｏ２方向の全長にわたって形成されている。図４に示されるように、陥没凹部３４は、接地部３１を長軸Ｏ２方向に貫いている。陥没凹部３４の幅は、長軸Ｏ２方向の両端部３４ａを除く全長にわたって、長軸Ｏ２方向の中央部から外側に向かうに従い漸次、狭くなっている。
陥没凹部３４は、図１に示されるように、長軸Ｏ２方向から見て、下方に向けて開口する円弧状を呈する。陥没凹部３４は、図２に示されるように、短軸Ｏ１方向から見て、長軸Ｏ２方向の両端部３４ａを除く全域にわたって上方に向けて突の曲線状を呈する。すなわち、陥没凹部３４の底上げ量が、長軸Ｏ２方向の中央部から外側に向かうに従い漸次、小さくなっている。陥没凹部３４における長軸Ｏ２方向の両端部３４ａの底上げ量は、長軸Ｏ２方向の全長にわたって同等になっている。
図４に示されるように、陥没凹部３４は、ボトル軸Ｏ方向から見て、短軸Ｏ１および長軸Ｏ２それぞれに対して線対称形状を呈する。
【００３４】
図１に示されるように、短軸Ｏ１方向、およびボトル軸Ｏ方向の双方向に沿う断面視において、陥没凹部３４の拡開角度θ２は、１００°より大きく１４０°以下となっている。図示の例では、前記断面視において、陥没凹部３４の長軸Ｏ２方向の中央部における拡開角度θ２が、例えば約１３０°となっている。
前記断面視において、底部１４における陥没凹部３４の開口幅Ｘが、１２ｍｍ以上１８ｍｍ以下となっている。この開口幅Ｘは、胴部１６の短軸Ｏ１方向の大きさの０．３５倍以上０．５４倍以下となっている。図示の例では、前記断面視において、底部１４における陥没凹部３４の長軸Ｏ２方向の中央部の開口幅Ｘが、例えば約１５ｍｍとなっている。
【００３５】
導入凹部３５は、図１に示されるように、短軸Ｏ１方向の外側から内側に向かうに従い漸次、上方に向けて延びている。導入凹部３５は、陥没凹部３４に、下方に向けて突の曲面部を介して接続されている。
前述の保持リブ３３は、陥没凹部３４の内面から下方に向けて突出し、長軸Ｏ２方向に延びている。保持リブ３３は、長軸Ｏ２上に配置されている。保持リブ３３における長軸Ｏ２方向の両端部は、陥没凹部３４における長軸Ｏ２方向の両端部３４ａに各別に位置している。
ここで、胴部１６の下端部に、下方に向かうに従い漸次、径方向の内側に向けて延びる傾斜部１６ａ、１６ｂが、全周にわたって形成されている。傾斜部１６ａ、１６ｂのうち、短辺部分２１に位置する部分１６ａは、長辺部分２２に位置する部分１６ｂと比べて、ボトル軸Ｏ方向の長さが長く、かつ接地部３１に連なる下端と上端との径方向の距離が長くなっている。
【００３６】
図示の例では、胴部１６のうち、下端部より上方に位置する部分の外周面における長軸Ｏ２方向の大きさは約６０ｍｍとされ、短軸Ｏ１方向の大きさは約３４ｍｍとなっている。胴部１６および肩部１５全体のボトル軸Ｏ方向の大きさは、約１１８ｍｍとなっている。スクイズボトル１の重量は約１２ｇとなっている。
【００３７】
次に、スクイズボトル１の口部１３に装着されるキャップ５０について説明する。
キャップ５０は、図２に示されるように、中栓部５１、キャップ本体５２、蓋部５３、吐出弁５４、および空気弁５５を備える。
【００３８】
中栓部５１は、スクイズボトル１の口部１３の上端開口縁に配置され、内容器１２内に連通する連通孔５１ａを有する。
キャップ本体５２は、有頂筒状に形成され、スクイズボトル１の口部１３に螺着されて中栓部５１を覆っている。キャップ本体５２の周壁部５２ｃの下端部が、外容器１１の被シール突部１８に外嵌されており、これらの間のシール性を確保している。キャップ本体５２の天壁部に、外部とスクイズボトル１の吸気孔１７とを連通する外気導入孔５２ａと、連通孔５１ａに連通可能な吐出孔５２ｂと、が形成されている。外気導入孔５２ａは、キャップ本体５２の天壁部の外周縁部において、長軸Ｏ２を短軸Ｏ１方向に挟む両側に位置する各部分に形成されている。
蓋部５３は、外気導入孔５２ａおよび吐出孔５２ｂを開閉し、キャップ本体５２にヒンジ部５６を介して連結されている。ヒンジ部５６は、キャップ本体５２および蓋部５３それぞれの、長軸Ｏ２方向の端部同士を連結している。吐出孔５２ｂは、キャップ本体５２の天壁部において、長軸Ｏ２方向に沿って中央部よりヒンジ部５６側と反対側にずれた位置に配置されている。
吐出弁５４は、いわゆる一点弁とされ、キャップ本体５２の天壁部と中栓部５１との間に配設されている。吐出弁５４は、内容器１２の内圧変動に応じて連通孔５１ａを開閉し、連通孔５１ａと吐出孔５２ｂとの連通、遮断を切替える。
空気弁５５は、キャップ本体５２の天壁部と中栓部５１との間に配設され、外容器１１と内容器１２との間の内圧変動に応じて、外気導入孔５２ａと吸気孔１７との連通、遮断を切り替える。
【００３９】
以上のように構成されたキャップ５０付きスクイズボトル１の使用方法について説明する。
【００４０】
内容物を吐出する場合には、まずキャップ５０の蓋部５３をヒンジ部５６回りに上方に回動させて、外気導入孔５２ａおよび吐出孔５２ｂを開放させた後、例えばスクイズボトル１を傾倒または上下反転させながらスクイズボトル１の外容器１１をスクイズ変形（弾性変形）させる。これにより、内容器１２が外容器１１とともに変形して減容するので、内容器１２の内圧が上昇する。
すると、吐出弁５４が開いて、吐出孔５２ｂと内容器１２の内部とが連通孔５１ａを通じて連通する。これにより、吐出孔５２ｂを通じて、内容器１２の内部に収容された内容物を外部に吐出することができる。
ここで、スクイズボトル１をスクイズ変形させると、外容器１１と内容器１２との間の内圧が上昇し、この内圧が、吸気孔１７を通じて空気弁５５に作用するので、空気弁５５が、キャップ本体５２の天壁部の下面に当接し、外気導入孔５２ａを閉塞する。
【００４１】
その後、スクイズボトル１のスクイズ変形を停止または解除することで、内容器１２の内圧の上昇が停止または低下すると、吐出弁５４が連通孔５１ａを閉じ、吐出孔５２ｂと内容器１２の内部との連通が遮断され、内容物の吐出が停止される。
また、スクイズボトル１のスクイズ変形を解除することで、外容器１１が復元変形し始めるので、外容器１１と内容器１２との間に負圧が生じる。すると、この負圧が吸気孔１７を通じて空気弁５５に作用するので、空気弁５５が、キャップ本体５２の天壁部の下面から下方に離間し、外気導入孔５２ａを開放する。これにより、外気導入孔５２ａを通じて外部から外気が流入し、この外気が吸気孔１７を通じて内容器１２と外容器１１との間に流入する。
その結果、外容器１１が復元変形したとしても、内容器１２を外容器１１の内面から離間させて減容変形させたままの状態に保つことができる。
【００４２】
以上説明したように、本実施形態によるスクイズボトル１によれば、ボトル軸Ｏ方向から見た胴部１６の平面視形状が、一対の短辺部分２１および一対の長辺部分２２を有する扁平形状とされているので、胴部１６における一対の長辺部分２２を、互いが対向する短軸Ｏ１方向に押し込んだときに、一対の長辺部分２２を広範囲にわたって大きく変形させやすくなり、この際の押し込み力を、内容器１２内に効果的に伝達することができる。
【００４３】
そして、内容器１２内の内容物の残量が少なくなったときには、陥没凹部３４が、底部１４における長軸Ｏ２方向の全長にわたって形成されていることから、陥没凹部３４を折れ線部として、少なくとも胴部１６の下部から底部１４にわたる部分を、短軸Ｏ１方向に折り畳むことが可能になり、内容器１２内の残り少ない内容物を吐出しやすくすることができる。
さらにその後、この折り畳んだ部分を、口部１３側に近付くように順次、ボトル軸Ｏ方向に折り曲げていったり、長辺部分２２を短軸Ｏ１方向に押圧した状態で口部１３側に向けてしごいたりすることなどもできる。
【００４４】
また、前記断面視において、陥没凹部３４の拡開角度θ２が、１００°より大きく１４０°以下となっているので、陥没凹部３４を折れ線部として、底部１４などを前述のように折り畳むことが可能なスクイズボトル１を容易に形成することができる。
すなわち、前記拡開角度θ２が１００°以下になると、スクイズボトル１を製造することが困難になり、また、前記拡開角度θ２が１４０°より大きくなると、陥没凹部３４を折れ線部として、底部１４などを前述のように折り畳むことが困難になる。
【００４５】
また、前記縦断面視において、底部１４における陥没凹部３４の開口幅Ｘが、１２ｍｍ以上１８ｍｍ以下となっているので、陥没凹部３４を折れ線部として、底部１４などを前述のように折り畳むことが可能なスクイズボトル１を、接地安定性を確保しつつ得ることができる。
すなわち、前記開口幅Ｘが１２ｍｍ未満になると、陥没凹部３４を折れ線部として、底部１４などを前述のように折り畳むことが困難になり、前記開口幅Ｘが１８ｍｍより広くなると、接地安定性が阻害されるおそれがある。
【００４６】
また、胴部１６の下端部に、下方に向かうに従い漸次、径方向の内側に向けて延びる傾斜部１６ａ、１６ｂが、全周にわたって形成されているので、陥没凹部３４を折れ線部として用いる前述の折り畳みを容易に行うことができる。
【００４７】
以上のように構成されたスクイズボトル１では、内容器１２内の内容物が残り少なくなったときに、特に内容物を吐出しにくくなる、前述した内容物のなかでも比較的粘度の高い、２３℃での粘度が２００００ｍＰａ・ｓ〜５００００ｍＰａ・ｓの、例えばマヨネーズなどが、内容器１２の内部に収容された場合であっても、前述したように、内容器１２内の残り少ない内容物を吐出しやすくすることができる。
【００４８】
なお、本発明の技術範囲は、前述した実施形態に限定されるものではなく、本発明の趣旨を逸脱しない範囲において種々の変更を加えることが可能である。
【００４９】
例えば前記実施形態では、胴部１６における一対の短辺部分２１が、長軸Ｏ２方向の外側に向けて尖る角部２３を備える構成を示したが、角部２３を有しない構成を採用してもよい。
また、前記実施形態では、角部２３が、胴部１６の短辺部分２１におけるボトル軸Ｏ方向の全長にわたって配設された構成を示したが、角部２３を配設するボトル軸Ｏ方向の位置を選択して限定してもよい。
また、胴部１６の長辺部分２２は、ボトル軸Ｏ方向から見て、１つの円弧または１つの直線により構成されてもよい。
また、胴部１６の短辺部分２１は、ボトル軸Ｏ方向から見た平面視で、長軸Ｏ２に対して非対称形状を呈してもよく、また、胴部１６の長辺部分２２は、ボトル軸Ｏ方向から見た平面視で、短軸Ｏ１に対して非対称形状を呈してもよい。
また、胴部１６の下端部に傾斜部１６ａ、１６ｂを形成せず、胴部１６を、下端部を含む全域にわたって、ボトル軸Ｏ方向に真直ぐ延ばしてもよい。
【００５０】
また、陥没凹部３４は、短軸Ｏ１方向から見て、長軸Ｏ２方向の両端部３４ａを含む全域にわたって上方に向けて突の曲線状を呈してもよい。
また、底部１４の底上げ部３２として、導入凹部３５を有しない構成を採用してもよい。
【００５１】
スクイズボトル１を形成する合成樹脂材料は、例えばポリエチレンテレフタレートや、ポリエチレンナフタレート、非晶性ポリエステル等、またはこれらのブレンド材料等、適宜変更してもよい。
【００５２】
その他、本発明の趣旨を逸脱しない範囲で、前記実施形態における構成要素を周知の構成要素に置き換えることは適宜可能であり、また、前記変形例を適宜組み合わせてもよい。
【符号の説明】
【００５３】
１  スクイズボトル
１１  外容器
１２  内容器
１３  口部
１４  底部
１６  胴部
１６ａ、１６ｂ  傾斜部
２１  短辺部分
２２  長辺部分
３１  接地部
３３  保持リブ
３４  陥没凹部
Ｏ  ボトル軸
Ｏ１  短軸
Ｏ２  長軸
Ｘ  開口幅
θ２  拡開角度
【図１】
2020033087.tif 000003
【図２】
2020033087.tif 000004
【図３】
2020033087.tif 000005
【図４】
2020033087.tif 000006